(57)【要約】      （修正有）【課題】エアロゾル生成システムにおいて、無駄な噴霧量を減らす方法およびシステムを提供する。【解決手段】エアロゾル生成システム１００は、互いに隣接して配置され、互いの間にニップを画定するように構成された、一対の逆回転ローラ１０２および１０４と、ニップに流体を供給するように構成された流体源と、一対の逆回転ローラを互いに対して逆回転するように回転駆動させ、流体を、ニップを通して引き込ませるように構成された、駆動要素と、一対の逆回転ローラの実質的に周りに配置されるように構成された収集シェルであって、収集シェルが、ニップからの噴霧の通過を可能にするように構成されたノズル１１２を有する、収集シェルと、を含むことができる。【選択図】図１
2019188392.tif 000002
【特許請求の範囲】
【請求項１】
エアロゾル生成システムであって、
互いに隣接して配置され、互いの間にニップを画定するように構成された、一対の逆回転ローラであって、前記ニップが、上流と下流とを有する、一対の逆回転ローラと、
前記ニップの前記上流に流体を供給するように構成された流体源と、
前記一対の逆回転ローラを互いに対して逆回転するように回転駆動させ、前記流体を、前記ニップの前記上流を通して前記ニップの前記下流に引き込ませ、前記ニップの前記下流を、液滴に分解するフィラメントとして残すように構成された、駆動要素と、
前記一対の逆回転ローラの実質的に周りに配置されるように構成された収集シェルであって、前記収集シェルが、前記ニップの前記下流からの噴霧の通過を可能にするように構成されたノズルを有する、収集シェルと、を備える、エアロゾル生成システム。
【請求項２】
前記収集シェルが、前記逆回転ローラのサイズ、それらの回転速度、および前記ニップに分注されている前記流体の噴霧挙動によって画定される噴霧円錐に基づいて設計される、請求項１に記載のエアロゾル生成システム。
【請求項３】
前記収集シェルが、モジュール式であり、前記システムと容易に一体化可能である、請求項１に記載のエアロゾル生成システム。
【請求項４】
前記収集シェルが、前記システムからさらに容易に取り外し可能である、請求項３に記載のエアロゾル生成システム。
【請求項５】
前記収集シェルの内面と前記一対の逆回転ローラとの間に、実質的に画定されたチャンバ内に空気流を生成するように構成された一対のエアナイフをさらに備え、前記空気流が、前記ノズルを通して前記液滴を搬送する、請求項２に記載のエアロゾル生成システム。
【請求項６】
前記空気流が、毎時３〜３０標準立方フィートの範囲内である、請求項５に記載のエアロゾル生成システム。
【請求項７】
前記エアナイフのそれぞれの位置付けおよび方向付けが、前記一対の逆回転ローラに対応し、前記ローラのサイズ、前記ローラの回転、および前記ニップに分注されている前記流体の前記噴霧挙動によって画定される噴霧円錐に基づく、請求項５に記載のエアロゾル生成システム。
【請求項８】
前記収集シェルが、三次元（３Ｄ）印刷、機械加工、および射出成形からなる群のうちの１つによって生成される、請求項１に記載のエアロゾル生成システム。
【請求項９】
前記ノズルが、前記一対の逆回転ローラに対応する噴霧円錐に基づいて選択可能である、請求項１に記載のエアロゾル生成システム。
【請求項１０】
前記ノズルが、前記ニップの前記下流から前記ノズルの開口を通して、制限された領域に前記噴霧を向けるように構成される、請求項１に記載のエアロゾル生成システム。
【請求項１１】
前記制限された領域が、患者の眼の表面である、請求項１０に記載のエアロゾル生成システム。
【請求項１２】
前記エアナイフのうちの少なくとも１つが、ファン、圧縮空気キャニスタ、および加圧空気ラインからなる群のうちの１つによって、それを通して駆動される空気を有する、請求項５に記載のエアロゾル生成システム。
【請求項１３】
前記システムが、ハンドヘルド装置である、請求項１に記載のエアロゾル生成システム。
【請求項１４】
前記ノズルが、モジュール式であり、前記収集シェルと容易に一体化可能である、請求項１に記載のエアロゾル生成システム。
【請求項１５】
前記収集シェルを取換えるように構成された、別の収集シェルをさらに備える、請求項１に記載のエアロゾル生成システム。
【請求項１６】
エアロゾルを生成する方法であって、
一対の逆回転ローラの間に画定されたニップに流体を提供することと、
前記逆回転ローラを回転させて、前記流体を前記ニップの上流に引き込ませて、前記ニップの下流から噴霧を生成することと、
ノズルを介して、限られた領域に前記噴霧を向けるために収集シェルを使用することと、を含む、方法。
【請求項１７】
少なくとも１つのエアナイフを使用して、前記収集シェルと前記一対の逆回転ローラとの間に画定されたチャンバ内に前記噴霧を向け、前記ノズルを通して前記噴霧を放出することをさらに含み、前記少なくとも１つのエアナイフの位置付けおよび方向付けが、前記逆回転するローラに対応し、前記ローラのサイズ、前記ローラの回転、および前記ニップに分注される前記流体の前記噴霧挙動によって定義される噴霧円錐に基づく、請求項１６に記載の方法。
【請求項１８】
前記一対の逆回転ローラに対応する噴霧円錐に基づいて前記収集シェルを設計することをさらに含む、請求項１６に記載の方法。
【請求項１９】
前記ノズルを別のノズルと取替えることをさらに含む、請求項１６に記載の方法。
【請求項２０】
前記収集シェルを別の収集シェルと取替えることをさらに含む、請求項１６に記載の方法。
【発明の詳細な説明】
【技術分野】
【０００１】
開示された方法およびシステムは、一般的には、噴霧堆積システムおよび方法に関し、より具体的には、そのようなシステムにおけるそのような噴霧の制御された収集および方向付けに関する。
【０００２】
多くの製造および工業用途、例えば燃焼用途で使用される燃料／空気混合物、噴霧塗装用の噴霧空気−塗料混合物、医薬品へのコーティングの塗布、接着剤用途等が、微細な蒸気ミストまたはエアロゾルを生成するために、流体噴霧から恩恵を受けている。いったん成分溶液をエアロゾルにすれば、それを容易に加工して、事実上あらゆる形状の表面をコーティングすることができる。あるいは、製薬業界では、エアロゾルは、「噴霧乾燥」と呼ばれるプロセスにおいて、活性医薬成分を作り出すための上流成分溶液として役立つ微粉末を作り出すために一般的に使用されている。
【０００３】
粘弾性流体の噴霧処理のための従来技術に関しては、そのような流体は、多くの場合、従来の霧状化法において液滴形成を抑制するひずみ硬化挙動を示す。いくつかのシステムは、このひずみ硬化挙動を活かし、それを利用して、弾性毛細管不安定性によって液滴を生成する。図１４は、互いに強く接触している２つの逆回転ローラ１４０２および１４０４を有する噴霧機構を含むそのようなシステム１４００の一例を図示する。そのようなシステムは、一般的に、室温（例えば、ポリマー溶液および複雑な配合物）および高温（例えば、ポリマー溶融物）の両方での粘弾性流体の噴霧を可能にする。
【０００４】
既存の技術は、大きなローラまたは小さなローラで機能させることができる。例えば、大きなローラはハイスループット用途（例えば、液滴または粉末を製造するための製造ラインの終端でのユニット動作として）に使用され得る一方で、小さなローラは、より小さな出力であるが、同等に小さな装置設置面積で（例えば、精密分配用のハンドヘルド装置として）使用し得る。
【０００５】
製造された噴霧の収集は、一般的には、噴霧技術にとって不可欠である。噴霧液滴は、それらの初速度（例えば、フィラメント破壊時）および液滴サイズに基づいて、それら自体の軌跡に自然に従う傾向がある。これらの軌道線は、多くの場合噴霧円錐１４１０をたどる。ローラ直径、ローラ速度、接触力、および流体レオロジー等の異なるパラメータに依存して、この噴霧円錐１４１０は通常、制限された上への制御された堆積を行うのに十分に広い。
【０００６】
図１５は、噴霧源１５０２からの噴霧円錐１５１０の望ましくないわずかな噴霧を遮断するためのマスク１５０４（または、オリフィスを有するシート）の使用を含む、制限された領域上での制御された堆積を得るためのシステム１５００、例えば一対の逆回転ローラを示す。このシステム１５００は、送達領域を、表面１５２０上の制限されたスペース１５１２に制限し得るが、本システムはまた、不要な噴霧の大部分がマスク１５０４（またはシート）上に集まるという点で著しく非効率である。
【０００７】
時間が経つにつれ、この収集された量は蓄積し、最終的には滴り落ちるものと思われ、これは特定の用途（例えば、薬物製剤および消費者製品用途）にとって不衛生である。このシステム１５００は、特に限られた量でのみ入手可能である高付加価値の流体（例えば、μｇスケールで製造された特殊薬品および生理活性物質）にとっても無駄である。
【０００８】
したがって、無駄な噴霧量を減らす方法およびシステムが、当技術分野において有益であろう。
【図面の簡単な説明】
【０００９】
【図１】開示された技術の特定の実施形態による、エアロゾル生成システムの一例を図示する機能図である。
【図２】開示された技術の特定の実施形態による、エアロゾル生成システムの第１の例を図示する。
【図３】開示された技術の特定の実施形態による、広がり角に対して垂直である楕円形開口を有する収集シェルノズルの一例を図示する。
【図４】開示された技術の特定の実施形態による、広がり角に平行な楕円形開口を有する収集シェルノズルの一例を図示する。
【図５】開示された技術の特定の実施形態による、円形開口を有する収集シェルノズルの一例を図示する。
【図６】開示された技術の特定の実施形態による、エアロゾル生成システムの第２の例を図示する。
【図７】開示された技術の特定の実施形態による、エアロゾル生成システムの第３の例を図示する。
【図８】開示された技術のいくつかの実施形態による、収集シェルと一体化されている２つのエアナイフの斜視断面図を図示する。
【図９】開示された技術の特定の実施形態による、収集シェルと一体化された２つのエアナイフの側面断面図を示す。
【図１０】開示された技術の特定の実施形態による、その位置決めおよび地理が一対の逆回転ローラ、噴霧円錐、およびターゲットによって画定される２つのエアナイフの第１の例の断面図を示す。
【図１１】開示された技術の特定の実施形態による、一対の逆回転ローラ、噴霧円錐、ならびにターゲットによってその曲率が画定される収集シェルの第１の例の断面図を示す。
【図１２】開示された技術の特定の実施形態による、２つのエアナイフの第２の例の断面図を図示し、その位置決めおよび地理は、一対の逆回転ローラ、噴霧円錐、およびターゲットによって画定される。
【図１３】開示された技術の特定の実施形態による、一対の逆回転ローラ、噴霧円錐、およびターゲットによってその曲率が画定される収集シェルの第２の例の断面図を示す。
【図１４】粘弾性流体の噴霧処理用の従来のアトマイザの一例を図示する。
【図１５】マスクの使用を含む限られた領域上での制御された堆積を得るための従来のシステムの例を図示する。
【発明を実施するための形態】
【００１０】
開示された技術の実施形態は、一般的には、噴霧処理において生成された噴霧の効率的な収集のためのシステムおよび方法に向けられる。そのような実施形態は、ダウンスケールされたシステム、例えば５〜５０ｍｍのローラを有するシステムを含み得、好適な形状寸法と、それを通る噴霧の収集を増加させるように位置付けられ、かつ方向付けられたエアナイフを使用して制御された空気流とを有するノズルを導く収集シェルを含み得る。
【００１１】
開示された技術の実施形態は、有利には、システムに入力される液体の大部分、例えば最大８５％以上の収集を可能にし得る。従来のシステムは、より大きなローラシステム（例えば、５０ｍｍより大きいローラ直径）では１％未満の効率を有し、より小さいローラシステム（例えば、５０ｍｍ未満のローラ直径）では１０％の効率を有する。開示された技術による一定の実施形態は、噴霧を画定および限定された領域、例えば、人間の眼の露出表面積に相当する１〜２ｃｍ２程度の領域にさらに集中させ得る。
【００１２】
図１は、開示された技術の特定の実施形態による、エアロゾル生成システム１００の一例を図示する機能図である。この例では、システム１００は、互いに接触している１対の逆回転ローラ１０２および１０４と、噴霧をその自然な方向に沿って効率的に収集するように構成された、ローラ１０２および１０４の周囲の収集シェルとを有する。収集シェルは、ニップ（例えば、ローラ接触点）で生成された噴霧を、収集シェルと一体化されているノズル１１２（例えば、出口ポート）の中へ、かつそれを通って案内するように設計された収束プロファイルを有する。
【００１３】
この例では、システム１００はまた、ノズル１１２内への噴霧の再方向付けを支援するように構成された一対のエアナイフ１１４および１１６を含む。エアナイフ１１４および１１６は、一般的に、ノズル１１２における噴霧の収集のために戦略的に設計および配置される。エアナイフ１１４および１１６によって誘発される空気流は、一般的に、収集シェルの表面に対して接線方向であるが、それから任意の適切な角度であってもよい。
【００１４】
図２は、開示された技術の特定の実施形態による、エアロゾル生成システム２００の第１の例を図示する。この例では、システム２００は、一対の逆回転ローラ２０２および２０４と、噴霧をその自然な方向に沿って効率的に収集するように構成された、ローラ２０２および２０４の周囲の収集シェル２１０とを有する。収集シェル２１０は、ニップ（例えば、ローラ接触点）で生成された噴霧を、収集シェル２１０と一体化されているノズル２１２（例えば、出口ポート）に案内するように設計された収束プロファイルを有する。
【００１５】
この例では、システム２００はまた、ノズル２１２内への噴霧の再方向付けを支援するように構成された一対のエアナイフ２１４および２１６を含む。本明細書で使用される場合、エアナイフという用語は、一般的には、例えば特定の種類のファンまたは送風機もしくは他の好適な装置によって空気が押し通され得る狭い開口を有する装置または構成要素を指す。
【００１６】
エアナイフ２１４および２１６は、一般的に噴霧円錐に沿って設計および配置される。エアナイフ２１４および２１６への入口圧力は、ノズル２１２での噴霧の最大収集のために最適化され（例えば、曝露時間にわたって収集された質量として測定され）てもよい。エアナイフ２１４および２１６によって誘発される空気流は、一般に、収集シェル２１０の表面に対して接線方向である。
【００１７】
システム内の空気流量の決定および維持は、噴霧を案内し、ノズルの近くのシェル表面における噴霧堆積を最小にするために不可欠である。エアナイフ２１４および２１６からの空気流は、収集シェル２１０の表面近くに高速で動く流線を作り出し、それによって粒子が表面に衝突して集まることを防ぐ。噴霧をノズル２１２に再度方向付けするために、通常は、エアナイフ２１４および２１６を通した臨界レベルの空気流が存在する。空気流がこの値を下回るかまたは上回る場合、噴霧収集効率は、通常は最適以下である。
【００１８】
この例では、ノズル２１２は、モジュール式であり、システム２００の残余の部分と容易に交換可能であり得る。例えば、ノズル２１２は、収集シェル２１０上に位置付けられ、任意の好適な固定機構によって固定されてもよい。ノズル２１２の形状寸法は、例えば初期の噴霧プロファイルに関して、意図された堆積領域に依存して修正されることができる。
【００１９】
特定の用途（例えば、眼内沈着）については、ノズルの形状寸法は、眼の露出表面積とより厳密に一致するように選択され得る。そのような選択はまた、例えば噴霧円錐の自然な広がりを所与として、収集効率にわずかな影響を及ぼす場合がある。収集シェル２１０の設計と、エアナイフ２１４および２１６による空気流の集束とは、例えば、自然の噴霧円錐の輪郭に基づき得る。
【００２０】
図３〜５は、実装し得る３つの異なるタイプのノズル形状寸法を図示する。図３は、噴霧角に垂直な楕円形開口３１４を有するノズル３１２を図示し、図４は、噴霧角に平行な楕円形開口４２４を有するノズル４２２を図示し、図５は、円形開口５３４を有するノズル５３２を図示する。出口ポートの形状寸法間の因子差は、すでに大きな噴霧収集収率を所与として、一般に小さいことに留意すべきである。
【００２１】
図６は、開示された技術の特定の実施形態による、エアロゾル生成システム６００の第２の例を図示する。図２に示されるシステム２００と同様に、システム６００は、一対の逆回転ローラ６０２および６０４と、ノズル６１２を有する収集シェル６１０と、それらに向けてノズル６１２を通して噴霧を方向付けるように構成された一対のエアナイフ６１４および６１６とを含む。図６の収集シェル６１０は、図２に示す収集シェル２１０とは異なる形状（例えば、曲率）を有することに留意されたい。
【００２２】
特定の実施形態では、図２の収集シェル２１０のための最適空気流は、毎時約２０〜３０標準立方フィートであってもよく、一方で、図６の収集シェル６１０のための最適空気流は、毎時約４０〜５０標準立方フィートである。これらの空気流では、噴霧収集効率は、最大８５％あるいはそれ以上にまで向上する可能性がある。
【００２３】
図７は、開示された技術の特定の実施形態による、エアロゾル生成システム７００の第３の例を図示する。この例では、ノズル７１２を有する収集シェル７１０は、例えば三次元（３Ｄ）印刷によって、ローラ７０２および７０４から生じる自然の噴霧円錐に基づく設計および形状寸法で作成される。
【００２４】
この例では、収集シェル７１０は、ベンチトップテストベッド内にローラをはめ込んで包囲し、そして制限された領域に噴霧を方向付けるように構成される。収集シェル７１０は、エアナイフの中への入口圧力（例えば、有効体積流量）を調整するために使用されるニードル弁を有する外部の清浄空気源および流量計に接続されてもよい。
【００２５】
特定の実施形態では、収集シェルは、ハンドヘルドシステムに統合されてもよい。収集シェルおよびノズルの曲率および設計ならびに最適化された空気流は、生成された噴霧が、例えば患者の人間の目の露出面等の所望の領域に方向付けられることを確実にし得る。他の実施は、患者の口または鼻の表面（例えば、口腔／鼻腔液の送達のため）、皮膚における特定のスポット（例えば、化粧品の適用のため）、またははるかに広い領域（例えば、コーティングを施すため）をコーティングすることを含み得るがこれらに限定されない。
【００２６】
特定の実施態様は、異なる噴霧円錐プロファイル（例えば、平面または真の円錐形噴霧プロファイルの両方における広範な噴霧）を有する他の噴霧源から液滴を収集および運搬するための収集シェルを設計することを含み得る。また、ノズル形状は、例えば特定の種類のコーティングの適用において、異なる程度の方向転換が必要とされ得るような他の用途のために設計され得る。
【００２７】
図８は、開示された技術のいくつかの実施形態による、収集シェル８１０と一体化されている２つのエアナイフ８１４および８１６の斜視断面図を図示する。この例では、２つの空気移動装置８１５および８１７は、それぞれエアナイフ８１４および８１６と一体化されて、矢印で示されるようにエアナイフ８１４および８１６を通って収集シェル８１０の内部に空気を供給する。
【００２８】
図９は、開示された技術の特定の実施形態による、収集シェル９１０と一体化された２つのエアナイフ９１４および９１６の側面断面図を示す。この例では、空気は、矢印で示されるように、エアナイフ９１４および９１６を通って収集シェル９１０の内部に移動する。
【００２９】
いくつかの実装形態では、エアナイフのそれぞれの位置／場所および方向付けは、多数の特定の要因のうちのいずれかに基づいて決定され得る。例えば、各エアナイフの場所／位置は、エアナイフがローラ表面からどれだけ離れていても、エアナイフが噴霧円錐に沿うように、噴霧円錐に基づき得る。各エアナイフの方向付けは、一般的にエアナイフによって誘発される空気流の方向を制御し、そして、例えば空気流がローラとの同心円に対して接線方向であると同時に、噴霧円錐の方向に抗するように選択される。この位置付け及び方向付けの効果は、噴霧円錐の広がりの低減である。
【００３０】
図１０は、開示された技術の特定の実施形態による、２つのエアナイフ１０１４および１０１６の第１の例１０００の断面図を図示し、その位置決めおよび地理は、一対の逆回転ローラ１００２および１００４、噴霧円錐、ならびにターゲット１０１２（例えば、ノズル）によって規定される。この例では、エアナイフ１０１４および１０１６の場所および位置決めは、それぞれ対応する同心円１００３および１００５によって示されるような、逆回転ローラ１００２および１００４からの距離によって、かつ同様に、噴霧円錐に沿ったエアナイフ１０１４および１０１６の配列によって、少なくとも部分的に画定される。この例では、エアナイフ１０１４および１０１６は、噴霧円錐とローラからの同心円との交点に配置され、それらを通る空気流が、同心円１００３および１００５に対して接線方向となるようにそれぞれ方向付けられる。
【００３１】
実施例１０００では、エアナイフ１０１４および１０１６の各々の場所／位置は、逆回転ローラ１００２および１００４から発する噴霧円錐に基づいており、それによって、エアナイフ１０１４および１０１６は、その広がりを低減させる効果によって、空気を噴霧円錐に抗して方向付けるようにされる。さらに、エアナイフ１０１４および１０１６の各々の方向付けは、同心円１００３および１００５によってそれぞれ表されるように、直近の逆回転ローラ１００２および１００４からの距離にそれぞれ基づく。
【００３２】
図１１は、開示された技術の特定の実施形態による、一対の逆回転ローラ１１０２および１１０４、噴霧円錐、ならびにターゲット１１１２によってその曲率が画定される収集シェル１１１０の第１の例１１００の断面図を示す。この例では、収集シェル１１１０の形状（例えば、曲率）と、エアナイフ１１１４および１１１６の場所／位置決めとは、対応する同心円１１０３および１１０５によってそれぞれ図示されるように、逆回転ローラ１１０２および１１０４からの距離によって少なくとも部分的に画定される。この例では、エアナイフ１１１４および１１１６は、噴霧円錐とローラからの同心円との交点に位置付けられ、それらを通って収集シェル１１１０の内部に流入する空気流が、同心円１１０３および１１０５に対して接線方向となるように方向付けられる。
【００３３】
実施例１１００では、エアナイフ１１１４および１１１６の各々の位置／場所は、逆回転ローラ１１０２および１１０４から発する噴霧円錐に基づいており、それによって、エアナイフ１１１４および１１１６は、その広がりを低減させる効果によって、空気を噴霧円錐に抗して方向付けるようにされる。さらに、エアナイフ１１１４および１１１６の各々の方向付けは、同心円１１０３および１１０５によってそれぞれ表されるように、直近の逆回転ローラ１１０２および１１０４からの距離にそれぞれ基づく。
【００３４】
図１２は、開示された技術の特定の実施形態による、２つのエアナイフ１２１４および１２１６の第２の例の断面図を図示し、その位置決めおよび地理は、一対の逆回転ローラ１２０２および１２０４、噴霧円錐、およびターゲット１２１２（例えば、ノズル）によって画定される。この例では、エアナイフ１２１４および１２１６の場所および位置決めは、それぞれ対応する同心円１２０３および１２０５によって示されるような、逆回転ローラ１２０２および１２０４からの距離によって、かつ同様に、噴霧円錐に沿ったエアナイフ１２１４および１２１６の配列によって、少なくとも部分的に画定される。この例では、エアナイフ１２１４および１２１６は、噴霧円錐とローラからの同心円との交点に位置付けられ、それらを通る空気流が、同心円１２０３および１２０５に対して接線方向となるようにそれぞれ方向付けられる。
【００３５】
実施例１２００では、エアナイフ１２１４および１２１６の各々の位置／場所は、逆回転ローラ１２０２および１２０４から発する噴霧円錐に基づいており、それによって、エアナイフ１２１４および１２１６は、その広がりを低減させる効果によって、空気を噴霧円錐に抗して方向付けるようにされる。さらに、エアナイフ１２１４および１２１６の各々の方向付けは、同心円１２０３および１２０５によってそれぞれ表されるように、直近の逆回転ローラ１２０２および１２０４からの距離にそれぞれ基づく。
【００３６】
図１３は、開示された技術の特定の実施形態による、一対の逆回転ローラ、噴霧円錐、およびターゲットによってその曲率が画定される収集シェルの第２の例の断面図を示す。この例では、収集シェル１３１０の形状（例えば、曲率）と、エアナイフ１３１４および１３１６の場所／位置決めとは、対応する同心円１３０３および１３０５によってそれぞれ図示されるように、逆回転ローラ１３０２および１３０４からの距離によって少なくとも部分的に画定される。この例では、エアナイフ１３１４および１３１６は、噴霧円錐とローラからの同心円との交点に位置付けられ、それらを通って収集シェル１３１０の内部に流入する空気流が、同心円１３０３および１３０５に対して接線方向となるようにそれぞれ方向付けられる。
【００３７】
実施例１３００では、エアナイフ１３１４および１３１６の各々の位置／場所は、逆回転ローラ１３０２および１３０４から発する噴霧円錐に基づいており、それによって、エアナイフ１３１４および１３１６は、その広がりを低減させる効果によって、空気を噴霧円錐に抗して方向付けるようにされる。さらに、エアナイフ１３１４および１３１６の各々の方向付けは、同心円１３０３および１３０５によってそれぞれ表されるように、直近の逆回転ローラ１３０２および１３０４からの距離にそれぞれ基づく。
【図１】
2019188392.tif 000003
【図２】
2019188392.tif 000004
【図３】
2019188392.tif 000005
【図４】
2019188392.tif 000006
【図５】
2019188392.tif 000007
【図６】
2019188392.tif 000008
【図７】
2019188392.tif 000009
【図８】
2019188392.tif 000010
【図９】
2019188392.tif 000011
【図１０】
2019188392.tif 000012
【図１１】
2019188392.tif 000013
【図１２】
2019188392.tif 000014
【図１３】
2019188392.tif 000015
【図１４】
2019188392.tif 000016
【図１５】
2019188392.tif 000017